(57)【要約】【課題】  停電作業完了後、復旧操作をする前に作業用アースの外し忘れを確実かつ簡便に判定することができるアース外し確認装置を提供する。【解決手段】  発変電所と鉄塔とに架け渡された送電線と、発変電所側の接地開閉器ＬＥと、送電線と鉄塔とを接続する作業用アースと、で閉回路ＣＣを形成するとともに、一端が接地されており前記閉回路ＣＣ内に定電流を供給する定電流供給装置と、前記接地開閉器ＬＥを大地と前記定電流供給装置とを選択的に切替える切替スイッチとを備え、該定電流供給装置により前記閉回路ＣＣ内に定電流を供給したときに閉回路ＣＣ内に電流が流れることで、前記作業用アースが取り外されていないことを判定するものである。【選択図】  図１
2019106780.tif 000002
【特許請求の範囲】
【請求項１】
発変電所と鉄塔とに架け渡された送電線と、発変電所側の接地開閉器と、送電線と鉄塔とを接続する作業用アースと、で閉回路を形成するとともに、
一端が接地されており前記閉回路内に定電流を供給する定電流供給装置と、
前記接地開閉器を大地と前記定電流供給装置とを選択的に切替える切替スイッチとを、備え、
前記定電流供給装置により前記閉回路内に定電流を供給したときに閉回路内に電流が流れることで、前記作業用アースが取り外されていないことを判定する、ことを特徴とするアース取外し確認装置。
【請求項２】
前記定電流供給装置による定電流の供給により前記閉回路内に定電流が流れたことを報知する報知手段を設けた、ことを特徴とする請求項１に記載のアース取外し確認装置。
【請求項３】
前記作業用アースが取外しされていないと判定した場合に、前記接地開閉器の前記閉回路からの切断をロックする、ことを特徴とする請求項１又は請求項２のいずれか１項に記載のアース取外し確認装置。
【請求項４】
前記切替スイッチに可変抵抗器が内蔵されており、
前記切替スイッチの切替動作中に前記接地開閉器の接地状態が維持されるようにした、ことを特徴とする請求項１乃至請求項３のいずれか１項に記載のアース取外し確認装置。
【請求項５】
請求項２乃至請求項４のいずれか１項に記載のアース取外し確認装置に用いて好適な作業用アースであって、
フック部と接地部との間に流れる電流を検出することより報知する報知手段を備えた、ことを特徴とする作業用アース。
【発明の詳細な説明】
【技術分野】
【０００１】
この発明は、送電線の停電作業後における安全性の確保、特に、作業用アースの外し忘れによる事故を防止することができるようにした作業用アースの取外し確認装置及び作業用アースに関する。
【背景技術】
【０００２】
通常、送電線作業のため鉄塔に昇塔した場合、自身の安全を確保するための作業用アースを付ける。その作業用アースは、一端を送電線に、他端を鉄塔に接続する。この作業により、碍子等で絶縁された送電線が大地と同電位となることにより接地状態となる。
【０００３】
送電線作業が終了した場合、作業用アースを外して鉄塔を降りることになるが、誤って外し忘れた状態で、送電線復旧のための試充電等がなされると地絡事故・短絡事故が発生し、設備の破損や瞬時電圧低下の発生につながるおそれがある。また、溶けた送電線が作業員に向け飛び、火傷を負うことになるなど人体にも影響を起こし兼ねない事故につながる。
【０００４】
このような問題を解決する手法として、特許文献１には、鉄塔と電線とを電気的に接続して閉回路を形成し、該閉回路に電圧を印加したときの閉回路の電流若しくは抵抗の値を計測した結果から閉回路を形成する電線の異常を検知する電線異常検知方法が示されている。
【０００５】
また、特許文献２には、第１の送電線と第２の送電線とを備える並行２回線について工事を行う際に、停電中の第１の送電線と、接地開閉器（ＬＥ）と、作業用アースとで閉回路を形成し、この閉回路に流れる、第２の送電線からの電磁誘導電流を測定することによって作業用アースの外し忘れを検知するアース外し確認装置が示されている。
【先行技術文献】
【特許文献】
【０００６】
【特許文献１】特開２０１２−９３１７８号公報
【特許文献２】特開２０１５−０４７００１号公報
【発明の概要】
【発明が解決しようとする課題】
【０００７】
しかしながら、特許文献１の発明にあっては、鉄塔と鉄塔の間に掛け渡された区間の送電線の異常を検知する技術であり、作業用アースの外し忘れによる地絡発生という送電線の異常を検知するためには、複数の鉄塔の送電線(３本)にこの装置を設置する必要がある。（設置する鉄塔基数Ｎとすれば、Ｎ×３個）。また、送電線の復旧操作は、送電線に異常がないという前提で操作を実施しているため、その装置を使って送電線の異常を検知する行為を行わない可能性が高いという問題がある。
【０００８】
特許文献２の発明にあっては、第１の送電線と第２の送電線とを備える並行２回線について利用に限定されており、また、停電作業前に計測した電流値と停電作業後計測した電流値とを比較して判定しているため、時間を空けての２回の計測が必要となり、時間と手間がかかるという問題がある。
【０００９】
そこで、本発明の目的は、作業用アースの外し忘れを、その場の作業、操作のみで確実かつ簡便に判定することができる作業用アースの取外し確認装置及びこれに用いる作業用アースを提供することにある。
【課題を解決するための手段】
【００１０】
前記目的を達成するために、請求項１の発明は、発変電所と鉄塔とに架け渡された送電線と、発変電所側の接地開閉器ＬＥと、送電線と鉄塔とを接続する作業用アースと、で閉回路ＣＣを形成するとともに、一端が接地されており前記閉回路ＣＣ内に定電流を供給する定電流供給装置と、前記接地開閉器ＬＥを大地と前記定電流供給装置とを選択的に切替える切替スイッチとを備え、該定電流供給装置により前記閉回路ＣＣ内に定電流を供給したときに閉回路ＣＣ内に電流が流れることで、前記作業用アースが取り外されていないことを判定する、ことを特徴とする。
【００１１】
請求項２の発明は、請求項１に記載のアース取外し確認装置において、前記定電流供給装置による定電流の供給により前記閉回路ＣＣ内に定電流が流れたことを報知する報知手段を設けた、ことを特徴とする。
【００１２】
請求項３の発明は、請求項１又は請求項２の何れか１項に記載のアース取外し確認装置において、作業用アースが取外しされていないと判定した場合に、接地開閉器ＬＥの閉回路ＣＣからの切断をロックする、ことを特徴とする。
【００１３】
請求項４の発明は、請求項１乃至請求項３の何れか１項に記載のアース取外し確認装置において、前記接地開閉器ＬＥを大地と前記定電流供給装置とに選択的に切替える切替スイッチに可変抵抗器が内蔵されており、切替スイッチの切替動作中に接地開閉器ＬＥの接地状態が維持されるようにした、ことを特徴とする。
【００１４】
請求項５の発明は、請求項２から４の何れか１項に記載のアース取外し確認装置に用いて好適な作業用アースであって、フック部と接地部との間に流れる電流を検出することより報知する報知手段を備えた、ことを特徴とする。
【発明の効果】
【００１５】
請求項１の発明によれば、閉回路ＣＣに定電流を流れるだけで、その場その時に作業用アースが取り外されていないことが判明でき、確実かつ簡便に判定することができ、作業用アースの取外し確認を行うことができる。
【００１６】
請求項２の発明によれば、閉回路ＣＣに電流が流れたこと、すなわち、作業用アースが外し忘れていることを報知手段により報知されるので、その周辺にいる作業員、監視員が確実かつ簡便に認識することができ、迅速な対応をすることができる。
【００１７】
請求項３の発明によれば、作業用アースが取外しされていないと判定した場合に、接地開閉器ＬＥの閉回路ＣＣからの切断をロックするので、接地開閉器ＬＥが閉回路ＣＣ内に投入された維持状態、すなわち、接地されている状態が確保され、より安全性を高めることができる。
【００１８】
請求項４の発明によれば、前記接地開閉器ＬＥを大地と前記定電流供給装置とに選択的に切替える切替スイッチに可変抵抗器を内蔵し、この切替スイッチの切替動作中に接地開閉器ＬＥの接地状態を維持でき、万が一、誤って試充電操作をしてしまっても接地状態が確保されているので安全性を確保することができる。
【００１９】
請求項５の発明によれば、作用業アースに報知手段を備えたので、持ち運びが容易で、請求項２から４に記載のアース取外し確認装置に用いて好適な報知手段を提供することができる。
【図面の簡単な説明】
【００２０】
【図１】送電設備の全体を示す概略図である。
【図２】送電設備の要部を拡大して示す拡大図である。
【図３】作業用アースを示す側面図で、（Ａ）は作業用アースの全体を示し、（Ｂ）は作業用アースに組み込まれた報知手段を示す。
【図４】図５及び図６とともに切替スイッチの変形例を示すもので、本図は回路図である。
【図５】切替スイッチを分解して示す斜視図である。
【図６】各スイッチ及び可変抵抗器の状態を示すタイミングチャート図である。
【発明を実施するための形態】
【００２１】
以下、この発明を図示の実施の形態に基づいて説明する。
【００２２】
図１は、送電設備の全体の概略図であり、図面左端から遮断器ＣＢ、発変電所ＬＳ、１号鉄塔ＳＴ、２号鉄塔ＳＴが設置され、これらの間には送電線Ｌが架け渡されている。
【００２３】
発変電所ＬＳには隣接して接地開閉器ＬＥが設けられ、該接地開閉器ＬＥは大地Ｇに導通されていて、上端に設けたフックＦで送電線Ｌを挟み込むことにより送電線Ｌを大地Ｇに接地できるようになっている。これにより、発変電所ＬＳ側のアースが確保される。
【００２４】
また、停電作業時に作業員が鉄塔ＳＴに昇塔した際に、作業用アース１０を送電線Ｌと鉄塔ＳＴとの間に取り付けることにより、送電線Ｌを鉄塔ＳＴに接続し、鉄塔ＳＴ側のアースが確保される。
【００２５】
これにより、大地Ｇ−接地開閉器ＬＥ−送電線Ｌ−作業用アース１０−鉄塔ＳＴ−大地Ｇという閉回路ＣＣが形成される。
【００２６】
接地開閉器ＬＥにはこれに隣接して前記閉回路ＣＣに一定電流を供給するための定電流供給装置２０が設置され、該定電流供給装置２０には定電流を発生させる定電流源２１を備える。このような定電流供給装置２０は切替スイッチ３０を介して接地開閉器ＬＥに接続され、その一端は大地Ｇに接地されている。
【００２７】
図２は、送電設備の要部を拡大して示す拡大図である。
【００２８】
この切替スイッチ３０はスイッチＳＷ３１とスイッチＳＷ３２とを有し、これらスイッチＳＷ３１、ＳＷ３２が連動するようになっていて、一方のＳＷ３１が投入状態のときに他方のスイッチＳＷ３２が切断状態になっており、両スイッチが切替わったとき、すなわち、一方のスイッチＳＷ３１が切断状態に、他方のスイッチＳＷ３２が投入状態になるようになっている。
【００２９】
一方のスイッチＳＷ３１は接地開閉器ＬＥと大地Ｇとの導通の入切、他方のスイッチＳＷ３２は接地開閉器ＬＥと定電流供給装置２０との導通の入切を行うようになっており、この切替スイッチ３０の切替えにより、前記閉回路ＣＣ内に定電流供給装置２０を投入するか切断するかを選択できるようになっている。
【００３０】
そして、切替スイッチ３０のスイッチＳＷ３２を入り状態（定電流供給装置２０側）に切替ると、該定電流供給装置２０が閉回路ＣＣに投入され、この閉回路ＣＣは大地Ｇ−定電流供給装置２０−接地開閉器ＬＥ−送電線Ｌ−作業用アース１０−鉄塔ＳＴ−大地Ｇという閉回路ＣＣに切替わる。
【００３１】
この切替スイッチ３０の切替えが行われても、接地開閉器ＬＥは送電線Ｌと大地Ｇとを接地した状態であることには変わりなく、前記閉回路ＣＣの発変電所ＬＳ側のアースが確保される。
【００３２】
なお、このような切替スイッチ３０は遠隔操作により制御できるようになっており、例えば、集中制御所内のオペレーターが操作する。
【００３３】
前記定電流供給装置２０にあっては、その構造上、コイルなどの抵抗源になる部品を用いていないため、閉回路ＣＣに電流を供給した場合（作業用アース１０の外し忘れた場合）、地絡電流、短絡電流が制限されてしまうことがなく、安全性が損なわれることがない。
【００３４】
図３は、作業用アースを示す側面図で、（Ａ）は作業用アースの全体を示し、（Ｂ）は作業用アースに組み込まれた報知手段を示す。
【００３５】
（Ａ）は作業用アース１０全体を示し、（Ｂ）は作業用アース１０に組み込まれた報知手段１３を示す。
【００３６】
作業用アース１０はその先端がフック１１に、他端が接地用端子１２に構成されており、前記フック１１を送電線Ｌに挟み込み、接地用端子１２を鉄塔ＳＴに接続することにより、鉄塔ＳＴ側のアースが確保される。
【００３７】
この作業用アース１０は単に送電線Ｌと鉄塔ＳＴとを接続し通電可能とする機能の他に、一定電流が流れたときにこれを検出して報知する報知手段１３が内蔵されている。
【００３８】
具体的には、報知手段１３は、作業用アース１０の本体部（電流が流れる部分）に巻回されたコイル１４と、該コイル１４に逆起電力が発生したときに動作するリレーＲｙと、視覚的に報知するＬＥＤランプ１５と、聴覚的に報知するスピーカ１６と、これらを駆動するためのバッテリ１７とからなる。
【００３９】
作業用アース１０に一定値以上の電流が流れると、コイル１４に逆起電力が発生して前記リレーＲｙをＯＮして、ＬＥＤランプ１５及びスピーカ１６が報知するようになっている。なお、ＬＥＤランプ１５は作業用アース１０が取り付けられた状態で下方を向く向きで配置されており、報知されたときに鉄塔ＳＴの下側、地上に居る作業員などから視認されやすくなっている。
【００４０】
また、この報知手段１３には、作業用アース１０の把持部近傍にプッシュスイッチ１８が設けられており、このプッシュスイッチ１８を操作すると、前記ＬＥＤランプ１５及びスピーカ１６が報知するようになっている。これは、作業員が鉄塔ＳＴに昇塔する際に、予め報知手段１３の動作確認をするためのものである。
【００４１】
次に、停電作業を行うまでの手順について説明する。
【００４２】
まず、送電を停止すべく、遮断器ＣＢの切り操作、発変電所ＬＳの切り操作が行われ、これと同時に接地開閉器ＬＥによる送電線Ｌと大地Ｇとの接地が行われる。このとき、切替スイッチ３０のスイッチＳＷ３１が投入され、スイッチＳＷ３２は切断状態にされている。また、作業用アース１０により送電線Ｌと鉄塔ＳＴとの接続を完了すれば、上述のように大地Ｇ−接地開閉器ＬＥ−送電線Ｌ−作業用アース１０−鉄塔ＳＴ−大地Ｇという閉回路ＣＣが形成され、安全が確保された状態となり停電作業に移行することができる。
【００４３】
停電作業の完了後、作業用アース１０の取外しが完了したか否かの確認作業を行う手順について説明する。
【００４４】
まず、接地開閉器ＬＥと定電流供給装置２０との切替スイッチ３０を切替え、スイッチＳＷ３１を切断に、スイッチＳＷ３２を投入に切替え、定電流供給装置２０を閉回路ＣＣに投入する。
【００４５】
次に定電流供給装置２０の定電流源２１を起動して一定電流を閉回路ＣＣに流す。
【００４６】
このとき、作業用アース１０が取り外されていれば、送電線Ｌと鉄塔ＳＴとの接続がなく、閉回路ＣＣは解消されているため、電流は流れない。これにより、作業用アース１０が取り外されていると判定することができ、試充電作業を移行することが可能となる。
【００４７】
作業用アース１０が取り外されていなかった場合、閉回路ＣＣはまだ解消されておらず、従って、閉回路ＣＣに供給された電流は作業用アース１０にも流れる。
【００４８】
作業用アース１０に電流が流されると、前記報知手段１３のコイル１４に逆起電力が発生し、リレーＲｙをＯＮして、ＬＥＤランプ１５及びスピーカ１６が報知する。これにより、作業員など周辺にいる関係者がこの報知に気づき、作業用アース１０の取外しがなされていないことを認識し、試充電作業への移行をできない状態であることを知得する。
【００４９】
なお、図示は省略したが、遮断器ＣＢ、発変電所ＬＳ、接地開閉器ＬＥを動作させるスイッチ間にはインターロック機能が設けられる。
【００５０】
具体的には、閉回路ＣＣ内に一定電流以上が流れているときには、接地開閉器ＬＥを切り状態にできないようになっており（切り状態にできないというロック機構となっている。）、かつ、接地開閉器ＬＥを切り状態にしなければ、ＬＳ及びＣＢを入り状態にすることができないようになっている。
【００５１】
これにより、閉回路ＣＣが確実に解消されない、すなわち、作業用アース１０が外れたと判定されるまで、試充電作業などの送電線の復旧操作を機械的に止めることができ、かつ、系統電圧で線路充電が防止でき、設備損壊により作業員の負傷も回避できる。
【００５２】
図４乃至図６は、前記接地開閉器ＬＥと定電流供給装置２０との切替スイッチ３０の変形例４０を示すものである。
【００５３】
この切替スイッチ４０が前記切替スイッチ３０と異なる点は、スイッチの切替動作時において接地開閉器ＬＥと大地Ｇとの接続、すなわち接地が一瞬でも解消されてしまう状態が無いという点である。
【００５４】
すなわち、切替スイッチ３０にあっては、その切替時に、スイッチＳＷ３１、スイッチＳＷ３２ともに切り替わる瞬間、無接点状態が発生してしまい、接地開閉器ＬＥの接地が解消されてしまっていたが、この変形例にかかる切替スイッチ４０はこのような非接地の状態が一瞬でも生じないようにしたものである。
【００５５】
図４は切替スイッチ４０の回路図である。
【００５６】
切替スイッチ４０の一端は接地開閉器ＬＥに、また、他端は大地Ｇに接地されており、内部にはスイッチＳＷ１とスイッチＳＷ２とスイッチＳＷ３と可変抵抗器ＶＲとを有する。
【００５７】
スイッチＳＷ１と可変抵抗器ＶＲとは接地開閉器ＬＥと大地Ｇとの間に直列に配置、すなわち、スイッチＳＷ１の一端が大地Ｇに、その他端が可変抵抗器ＶＲの一端に、そして、可変抵抗器ＶＲの他端が接地開閉器ＬＥに接続されている。
【００５８】
スイッチＳＷ２は、その一端が大地Ｇに、他端が接地開閉器ＬＥに接続されており、これにより、直列配置された前記スイッチＳＷ１及び可変抵抗器ＶＲとスイッチＳＷ２とが大地Ｇと接地開閉器ＬＥとの間に並列に配置されている。
【００５９】
スイッチＳＷ３は、その一端が大地Ｇに、その他端が前記定電流供給装置２０を介して接地開閉器ＬＥに接続されている。
【００６０】
したがって、定電流供給装置２０はスイッチＳＷ３がＯＮ状態でかつ前記スイッチＳＷ１及びスイッチＳＷ２がＯＦＦ状態になったときに、接地開閉器ＬＥと大地Ｇとの間に投入され、閉回路ＣＣが維持されることになる。
【００６１】
図５は切替スイッチ４０の内部構造を分解して示す斜視図である。
【００６２】
切替スイッチ４０は操作軸４１と操作軸４１の軸方向に適宜離間して配置されたカム板４２，４３，４４と操作軸４１の一端に設けられた可変抵抗器ＶＲと各カム板４２，４３，４４の周面に対向して配置されたスイッチＳＷ１、スイッチＳＷ２、スイッチＳＷ３とからなる。
【００６３】
スイッチＳＷ１、スイッチＳＷ２、スイッチＳＷ３は、いわゆるマイクロスイッチであり、共に同じ構造をしているので、以下にスイッチＳＷ１について説明する。
【００６４】
スイッチＳＷ１はスイッチ本体４６とスイッチ本体４６から斜めに延びるレバー４７とから成り、レバー４７の先端が外部から押圧されるとスイッチ本体４６側に傾倒し、スイッチ本体４６内の接点に作用しＯＮ状態となり、レバー４７への押圧が解除されるとＯＦＦ状態になるようになっている。
【００６５】
このようなスイッチＳＷ１のレバー４７が前記カム板４２の周面に対向配置されており、カム板４２の回転により半径方向へのカム面が変位したとき、レバー４７への押圧又は離間がなされ、スイッチのＯＮ又はＯＦＦがなされる。
【００６６】
可変抵抗器ＶＲは操作軸の回転角の状態により抵抗値が増減するようになっており、後述する図６（タイミングチャート図）の各状態で示すとおりである。
【００６７】
図６は、操作軸４１の回転に応じた各スイッチＳＷ１，２，３及び可変抵抗器ＶＲの状態を示すタイミングチャート図である。
【００６８】
Ａ状態は、スイッチＳＷ１がＯＮ状態でかつ可変抵抗器ＶＲの抵抗値Ｒ＝０及びスイッチＳＷ２がＯＮ状態となっており、これらを通じて接地開閉器ＬＥが大地Ｇに接地されている状態である。
【００６９】
Ｂ状態は、スイッチＳＷ１がＯＮ状態でかつ可変抵抗器ＶＲの抵抗値Ｒ＝０及びスイッチＳＷ２がＯＮ状態となっており、これらを通じて接地開閉器ＬＥが大地Ｇに接地されている。また、このＢ状態ではスイッチＳＷ３もＯＮ状態となり、接地開閉器ＬＥと定電流供給装置２０とが接続されるが、定電流供給装置２０の定電流源２１は起動されておらず、閉回路ＣＣへ定電流の供給はされていない。
【００７０】
Ｃ状態は、スイッチＳＷ２はＯＦＦ状態となるが、スイッチＳＷ１がＯＮ状態でかつ可変抵抗器ＶＲの抵抗値Ｒ＝０のままであり、これらを通じて接地開閉器ＬＥが大地Ｇに接地されている。また、このＣ状態ではスイッチＳＷ３もＯＮ状態とままで、接地開閉器ＬＥと定電流供給装置２０とが接続されているが、定電流供給装置２０の定電流源２１は起動されておらず、閉回路ＣＣへ定電流の供給はされていない。
【００７１】
Ｄ状態は、スイッチＳＷ１がＯＮ状態で可変抵抗器ＶＲの抵抗値が増大していく状態である。可変抵抗器ＶＲの抵抗値が増大してもＲ＝∞になるまでは、スイッチＳＷ１及び可変抵抗器ＶＲに通じて接地開閉器ＬＥと大地Ｇとの接続、すなわち接地状態が維持される。
【００７２】
Ｅ状態は、スイッチＳＷ１がＯＦＦ状態で可変抵抗器ＶＲの抵抗値はＲ＝∞となり、また、スイッチＳＷ２はＯＦＦ状態であるので、接地開閉器ＬＥは大地Ｇとの接地が絶たれるがスイッチＳＷ３がＯＮ状態でＥ状態になった瞬間、定電流供給装置２０の定電流源２１が起動し閉回路ＣＣへ定電流の供給がなされ、これと同時に大地Ｇとの接地がなされる。
【００７３】
このＥ状態は、作業用アース１０が取外しを確認するために定電流供給装置２０の定電流源２１により電流を閉回路ＣＣ内に供給する状態である。
【００７４】
以上のように切替スイッチ４０の切替動作が行われる間は一瞬足りとて接地開閉器ＬＥと大地Ｇとの接地状態は解消されることはなく、万が一、誤って試充電操作をしてしまっても接地状態が確保されているので安全性を確保することができる。
【００７５】
また、Ｅ状態からＡ状態の戻すときは、操作軸４１を逆方向に回転されることにより行うことができる。この操作中においても、接地開閉器ＬＥと大地Ｇとの接地状態は解消されることはない。
【００７６】
この実施の形態にあっては報知手段を作業用アースに組み込んだものについて説明したが、本発明アース取外し確認装置にあってはこれに限らず、閉回路ＣＣを構成する部材、例えば、接地開閉器ＬＥなどに組み込んでも良い。
【００７７】
以上、この発明の実施の形態並びに変形例について説明したが、具体的な構成は、前記実施の形態並びに変形例に限られるものではなく、この発明の要旨を逸脱しない範囲の設計の変更等があっても、この発明に含まれる。例えば、前記実施の形態では、報知手段としてＬＥＤランプ、スピーカを例示して説明したが、報知手段の種別はこれに限定されることなく、ネオン管やブザーなどの電気的特性を持つ装置であればどのような装置であっても良い。
【符号の説明】
【００７８】
ＣＢ      遮断器
ＬＳ      発変電所
ＳＴ      １号鉄塔
Ｌ        送電線
ＬＥ      接地開閉器
Ｇ        大地
Ｆ        フック
ＣＣ      閉回路
１０      作業用アース
１１      フック
１２      接地用端子
１３      報知手段
１４      コイル
Ｒｙ      リレー
１５      ＬＥＤランプ
１６      スピーカ
１７      バッテリ
１８      プッシュスイッチ
２０      定電流供給装置
２１      定電流源
３０      切替スイッチ
ＳＷ３１  スイッチ
ＳＷ３２  スイッチ
４０      切替スイッチ（変形例）
４１      操作軸
４２      カム板
４３      カム板
４４      カム板
ＶＲ      可変抵抗器
ＳＷ１    スイッチ
ＳＷ２    スイッチ
ＳＷ３    スイッチ
【図１】
2019106780.tif 000003
【図２】
2019106780.tif 000004
【図３】
2019106780.tif 000005
【図４】
2019106780.tif 000006
【図５】
2019106780.tif 000007
【図６】
2019106780.tif 000008